(57)【要約】      （修正有）【課題】蓋部とノズル部を分割することにより、そのノズル部を素手で触ることなく、使用又は収納できるおしり洗浄器具を提供する。【解決手段】容器部７、前記容器部と係合する蓋部４ａ及びノズル部１で構成されるおしり洗浄器具において、前記蓋部には、前記ノズル部と係合される開口部が形成され、前記ノズル部には円錐形状体または多角錐形状体からなる洗浄液吐出構造２ａを備えている。【選択図】図４
0003224205.tif 000002
【実用新案登録請求の範囲】
【請求項１】
容器部、前記容器部と係合する蓋部及びノズル部で構成されるおしり洗浄器具において、前記蓋部には、前記ノズル部と係合される開口部が形成され、前記ノズル部には円錐形状体または多角錐形状体からなる洗浄液吐出構造を備えること特徴とする、おしり洗浄器具。
【請求項２】
前記ノズル部は、前記容器部の内側から前記蓋部の前記開口部を通して前記容器部の外側へ差し込まれた構造からなることを特徴とする、請求項１記載のおしり洗浄器具。
【請求項３】
前記ノズル部は、前記容器部の外側から前記蓋部の前記開口部を通して前記容器部の内側へ差し込まれた構造からなることを特徴とする、請求項１記載のおしり洗浄器具。
【請求項４】
前記蓋部は、前記容器部と係合する第一係合部及び第二係合部を備えることを特徴とする、請求項１〜請求項３のいずれか１項に記載のおしり洗浄器具。
【請求項５】
前記ノズル部は、先端部に洗浄液吐出穴部と空気穴部を有することを特徴とする、請求項１〜請求項４のいずれか１項に記載のおしり洗浄器具。
【考案の詳細な説明】
【技術分野】
【０００１】  本考案は、おしり洗浄器具に関するものである。
【技術背景】
【０００２】  従来、先端に穴が開いているノズル部がボトル容器に取り付けられた簡易型のおしり洗浄器具が使用されている。また、上記ノズル部は、外径が７ｍｍから１０ｍｍ程度、内径が２ｍｍから５ｍｍ程度の円筒形で構成されている。
【考案の概要】
【考案が解決しようとする課題】
【０００３】  上記、従来のおしり洗浄器具を最初に使用する場合、ノズル部の表面は汚れていないので問題はないが、実際にトイレで当該おしり洗浄器具を使用すると、ノズル部に排泄物が付着したままになってしまうことがある。そうすると、不衛生なために素手でノズル部を触ることができなくなる欠点がある。
また、ボトル容器内にノズル部を収納するタイプのおしり洗浄器具の場合にも汚れた円筒形のノズル部に指などが接触することがあり不衛生である。さらに、そのノズル部は着脱式になっておらず、取り外すことは実際に不可能であり容易に新しい清潔なノズル部に交換することができない。
【課題を解決するための手段】
【０００４】  容器部、前記容器部と係合する蓋部及びノズル部で構成されるおしり洗浄器具において、前記蓋部には、前記ノズル部と係合される開口部が形成され、前記ノズル部には円錐形状体または多角錐形状体からなる洗浄液吐出構造を備えること特徴とする、おしり洗浄器具である。
また、前記ノズル部は、前記容器部の内側から前記蓋部の前記開口部を通して前記容器部の外側へ差し込まれた構造からなることを特徴とする、請求項１記載のおしり洗浄器具である。
また、前記ノズル部は、前記容器部の外側から前記蓋部の前記開口部を通して前記容器部の内側へ差し込まれた構造からなることを特徴とする、請求項１記載のおしり洗浄器具である。
また、前記蓋部は、前記容器部と係合する第一係合部及び第二係合部を備えることを特徴とする、請求項１〜請求項３のいずれか１項に記載のおしり洗浄器具である。
さらに、前記ノズル部は、先端部に洗浄液吐出穴部と空気穴部を有することを特徴とする、請求項１〜請求項３のいずれか１項に記載のおしり洗浄器具である。
【考案の効果】
【０００５】  本考案のおしり洗浄器具は、容器部と蓋部とノズル部とで構成されており、そのノズル部は、円錐形状体または多角錐形状体を備えることにより先端部に洗浄液の圧力が加わり洗浄液が吐出しやすくなっている。円錐形状体または多角錐形状体を備えているノズル部の拡径部は、蓋部の開口部より大きいので蓋部の開口部に差し込んで止めることができる。
また、ノズル部の拡径部は１０ｍｍから３０ｍｍ程度になっており、その内側に指を入れて蓋部の開口部から取り外すことができ、かつ、ノズル部の外表面に触れることなく、蓋部の開口部から取り外し収納できて衛生的である。
さらに、ノズル部は、蓋部と分割されているため、新しいノズル部と交換ができて衛生的である。かつ、ノズル部は使い捨てもできる。
【考案を実施するための形態】
【０００６】  図１は、先端部に洗浄液吐出穴部２ａ及び空気穴部２ｂを有する円錐形状体からなる洗浄液吐出構造を備えるノズル部１である。なお、洗浄液吐出穴部２ａは、空気も出入りする。また、空気穴部２ｂは、洗浄液も出入りする。
【０００７】  図８は、開口部５と雌ネジ部６を備えた蓋部４ａである。雌ネジ部６は、容器部７の口部３の雄ネジ部分に係合する。
【０００８】  第１の実施例を図４に示す。本考案のおしり洗浄器具（使用時）は、図２に示すようにノズル部１の内側に指１０を入れて、図８に示す蓋部４ａの開口部５を通してノズル部１を容器部７の外側へ差し込む。なお、ノズル部１の拡径部は、蓋部４ａの開口部５より大きいので蓋部４ａの開口部５に差し込んで止めることができる。なお、円錐形状体のノズル部１と蓋部４ａが係合されたものが、さらに容器部７の口部３の雄ネジ部分に係合されたものを示す。
【０００９】  第１の実施例を図５に示す。本考案のおしり洗浄器具（収納時）は、図２に示すようにノズル部１の内側に指１０を入れて、図８に示す蓋部４ａの開口部５を通してノズル部１を容器部７の内側へ差し込む。なお、ノズル部１の拡径部は、蓋部４ａの開口部５より大きいので蓋部４ａの開口部５に差し込んで止めることができる。
【００１０】  図９は、開口部５の両側に第一係合部８（雌ネジ部）と第二係合部９（雌ネジ部）を備えた蓋部４ｂである。第一係合部８（雌ネジ部）と第二係合部９（雌ネジ）は、容器部７の口部３の雄ネジ部分にいずれか係合するものである。
【００１１】  第２の実施例を図６に示す。本考案のおしり洗浄器具（使用時）は、図２に示すようにノズル部１の内側に指１０を入れて、図９に示す蓋部４ｂの第一係合部８及び開口部５を通してノズル部１を差し込み、第一係合部８（雌ネジ部）が容器部７の口部３の雄ネジ部分に係合されたものを示す。
【００１２】  第２の実施例を図７に示す。本考案のおしり洗浄器具（収納時）は、前記使用時の蓋部４ｂとノズル部１をセットにしたものをひっくり返して第二係合部９（雌ネジ部）が容器部７の口部３の雄ネジ部分に係合されたものを示す。このように、蓋部４ｂは、容器部７と係合する第一係合部８及び第二係合部９を備えることによって、ノズル部１に接触することなく蓋部４ｂとノズル部１がセットになったものをひっくり返して容器部７と係合できる。
【００１３】  本考案のノズル部１は、図１０に示すように、先端部側ノズル部１ａと蓋部側ノズル部１ｂに分割されているものも含まれる。
【００１４】  図１０に示すノズル部１は、図１１に示すように、先端部側ノズル部１ａと蓋部側ノズル部１ｂを係合して一体化できる。
【００１５】  本考案におけるノズル部は、プラスチック製（フィルム成形品、射出成形品）、紙製、金属製、木製などが例示される。
【００１６】  本考案における蓋部４ａ、蓋部４ｂは、プラスチック製、紙製、金属製、木製などが例示される。なお、図１２のように開口部５が突き出た形の蓋部４ｃのようなものも含まれる。
【００１７】  本考案における容器部７は、おしりを洗浄するために用いられる洗浄液を充填する容器である。ここで洗浄液とは、通常の水、水道水、蒸留水、又は、これらにアルコールや洗浄剤を含む洗浄液である。容器部７としては、ＰＥＴボトル、ＰＰボトルなどのプラスチック製容器、紙製容器、金属製容器、木製容器などが例示される。また、容器部７の形状は、通常のボトル状や蛇腹状、提灯状、風船状などいずれのものでも構わない。
【図面の簡単な説明】
【００１８】
【図１】本考案のおしり洗浄器具のノズル部である。
【図２】本考案のおしり洗浄器具のノズル部の内側に指を入れた状態の参考図である。
【図３】本考案に使用される容器部の口部からノズル部と蓋部を取り外した構成図である。
【図４】本考案のおしり洗浄器具の第１の実施例における使用時の状態を示す図である。
【図５】本考案のおしり洗浄器具の第１の実施例におけるノズル部収納時の状態を示す図である。
【図６】本考案のおしり洗浄器具の第２の実施例における使用時の状態を示す図である。
【図７】本考案のおしり洗浄器具の第２の実施例におけるノズル部収納時の状態を示す図である。
【図８】本考案のおしり洗浄器具の第１の実施例の蓋部である。
【図９】本考案のおしり洗浄器具の第２の実施例の蓋部である。
【図１０】本考案のおしり洗浄器具のノズル部が先端部側と蓋部側に分割される形態の図である。
【図１１】図１０におけるノズル部の先端部側と蓋部側とが係合された図である。
【図１２】本考案のおしり洗浄器具の蓋部の一例であり、容器部の反対側に開口部が突き出しているものである。
【符号の説明】
【００１９】１  ノズル部
１ａ  先端部側ノズル部
１ｂ  蓋部側ノズル部
２ａ  洗浄液吐出穴部
２ｂ  空気穴部
３  口部
４ａ  蓋部
４ｂ  蓋部
４ｃ  蓋部
５  開口部
６  雌ネジ部
７  容器部
８  第一係合部
９  第二係合部
１０  指
【図１】
0003224205.tif 000003
【図２】
0003224205.tif 000004
【図３】
0003224205.tif 000005
【図４】
0003224205.tif 000006
【図５】
0003224205.tif 000007
【図６】
0003224205.tif 000008
【図７】
0003224205.tif 000009
【図８】
0003224205.tif 000010
【図９】
0003224205.tif 000011
【図１０】
0003224205.tif 000012
【図１１】
0003224205.tif 000013
【図１２】
0003224205.tif 000014